(57)【要約】【課題】互いに分離された複数のコンタクトを備えるコネクタであって、接続操作性の向上を図ることのできるコネクタを提供すること。【解決手段】コネクタ２００は、複数のコンタクト２１０とガイド部材２５０とを備えている。接続対象物の主面１１０上において、コンタクト２１０は互いに分離された状態でＹ方向に並べられており、ガイド部材２５０は、コンタクト２１０から分離された状態で設けられている。コンタクトとガイド部材とは、一枚の金属板を打ち抜きプレスして得られるものであり、各コンタクト２１０の第１半田付け部２２０から延びる第１副部２４０と、ガイド部材２５０の第２半田付け部２６０から延びる第２副部２９０とは、Ｙ方向と直交するＸＺ平面内において同一の断面形状を有している。【選択図】図７
2015222678.tif 000002
【特許請求の範囲】
【請求項１】
接続対象物の主面に固定されるコネクタであって、被ガイド部を有する相手側対象物と接続方向において接続するコネクタにおいて、
前記コネクタは、複数のコンタクトと、ガイド部材とを備えており、
前記複数のコンタクトの夫々は、前記コネクタが前記主面に固定された際に前記主面と平行となる所定方向において２つの端部を有すると共に前記主面に半田付けされる第１半田付け部と、前記第１半田付け部の前記端部の一方から延びると共に前記相手側対象物と接触する接点を有する第１主部と、前記第１半田付け部の前記端部の他方から延びる第１副部とを有しており、
前記複数のコンタクトは、互いに分離された状態で前記所定方向と直交するピッチ方向に並べられており、
前記ガイド部材は、前記所定方向において２つの端部を有すると共に前記主面に半田付けされる第２半田付け部と、前記第２半田付け部の前記端部の一方から延びると共にガイド部を有する第２主部と、前記第２半田付け部の前記端部の他方から延びる第２副部とを有しており、
前記ガイド部材は、前記コンタクトと分離された状態で設けられており、
前記ガイド部は、前記接続方向と直交する方向において前記相手側対象物を位置決めし且つ前記接続方向に沿ってガイドするものであり、
前記コンタクトと前記ガイド部材とは、一枚の金属板を打ち抜きプレスして得られるものであり、
前記第１副部と前記第２副部とは、前記ピッチ方向と直交する面内において同一の断面形状を有している
コネクタ。
【請求項２】
請求項１記載のコネクタであって、
前記第１副部は、前記主面から離れるように前記第１半田付け部から延びており、
前記第２副部は、前記主面から離れるように前記第２半田付け部から延びている
コネクタ。
【請求項３】
請求項１又は請求項２記載のコネクタであって、
前記接続方向は、前記所定方向と同一である
コネクタ。
【請求項４】
請求項３記載のコネクタであって、
前記第２主部は、前記第２半田付け部から延びるガイド支持部を更に有しており、
前記ガイド部は、前記コネクタが前記主面に固定された際に前記主面と平行となる所定平面内において前記ガイド支持部から張り出しており、
前記コネクタが前記主面に固定された状態において前記ガイド部と前記主面との間には間隙が形成されており、
前記コネクタが前記相手側対象物と接続する際に、前記被ガイド部は、前記間隙に受容される
コネクタ。
【請求項５】
請求項４記載のコネクタであって、
前記ガイド支持部は、前記所定方向において前記第２半田付け部から離れて位置する付加的半田付け部を更に有している
コネクタ。
【請求項６】
請求項１乃至請求項５のいずれかに記載のコネクタであって、
前記ガイド部材は、少なくとも２つあり、
前記ガイド部材の夫々は、前記コネクタが前記主面に固定された状態において、前記主面と直交する直交方向におけるサイズが前記コンタクトのサイズ以上である
コネクタ。
【請求項７】
請求項１乃至請求項６のいずれかに記載のコネクタであって、
前記コネクタは、前記主面に固定される前の状態において前記第１副部及び前記第２副部を互いに連結している仮連結部を更に備えており、
前記コンタクト及び前記ガイド部材が前記主面に半田付けされた後に前記仮連結部が前記コネクタから少なくとも部分的に切り離され、前記コンタクトが互いに分離されると共に前記ガイド部材が前記コンタクトから分離される
コネクタ。
【請求項８】
請求項７記載のコネクタであって、
前記コネクタは、前記主面に固定される前の状態において、前記第１副部から夫々延びる複数の第１延長部と、前記第２副部から延びる第２延長部とを更に備えており、
前記第１延長部及び前記第２延長部は、前記コンタクトと同一の前記金属板から得られるものであり、
前記仮連結部は、前記複数の第１延長部を互いに連結すると共に前記第２延長部を前記第１延長部と連結しており、
前記第１半田付け部及び前記第２半田付け部が前記主面に半田付けされた後に、前記第１延長部及び前記第２延長部を前記仮連結部と共に前記第１副部及び前記第２副部から切り離して、前記コンタクトを互いに分離させると共に前記ガイド部材を前記コンタクトから分離させる
コネクタ。
【請求項９】
請求項１乃至請求項８のいずれかに記載のコネクタであって、
前記相手側対象物は、相手側接続対象物と、前記相手側接続対象物に固定される相手側コネクタとを備えており、
前記被ガイド部は、前記相手側コネクタに設けられている
コネクタ。
【請求項１０】
請求項９記載のコネクタと前記相手側コネクタとを備えるコネクタ組立体。
【請求項１１】
請求項１０記載のコネクタ組立体であって、
前記ガイド部は、前記ピッチ方向において端面を有しており、
前記相手側コネクタには、前記ガイド部の前記端面に対応した付加的被ガイド部が設けられている
コネクタ組立体。
【請求項１２】
請求項１０又は請求項１１記載のコネクタ組立体であって、
前記相手側コネクタには、前記接続方向と直交する方向において、前記被ガイド部から離れて位置する補助被ガイド部が更に設けられており、
前記コネクタと前記相手側コネクタとが接続する際に、前記ガイド部は、前記被ガイド部と前記補助被ガイド部との間に挿入される
コネクタ組立体。
【発明の詳細な説明】
【技術分野】
【０００１】
本発明は、互いに分離された複数のコンタクトを備えるコネクタに関する。
【背景技術】
【０００２】
例えば、この種のコネクタは、特許文献１に開示されている。特許文献１のコネクタは、複数のコンタクトを備えている。コンタクトは、互いに分離された状態で回路基板上に固定されている。これらコンタクトは、相手側回路基板のパターン電極と接続する。
【先行技術文献】
【特許文献】
【０００３】
【特許文献１】特開２００１−１６０４４２号公報
【発明の概要】
【発明が解決しようとする課題】
【０００４】
上述したコネクタは、接続操作性が悪いという問題がある。
【０００５】
そこで、本発明は、互いに分離された複数のコンタクトを備えるコネクタであって、接続操作性の向上を図ることのできるコネクタを提供することを目的とする。
【課題を解決するための手段】
【０００６】
本発明は、第１のコネクタとして、
接続対象物の主面に固定されるコネクタであって、被ガイド部を有する相手側対象物と接続方向において接続するコネクタにおいて、
前記コネクタは、複数のコンタクトと、ガイド部材とを備えており、
前記複数のコンタクトの夫々は、前記コネクタが前記主面に固定された際に前記主面と平行となる所定方向において２つの端部を有すると共に前記主面に半田付けされる第１半田付け部と、前記第１半田付け部の前記端部の一方から延びると共に前記相手側対象物と接触する接点を有する第１主部と、前記第１半田付け部の前記端部の他方から延びる第１副部とを有しており、
前記複数のコンタクトは、互いに分離された状態で前記所定方向と直交するピッチ方向に並べられており、
前記ガイド部材は、前記所定方向において２つの端部を有すると共に前記主面に半田付けされる第２半田付け部と、前記第２半田付け部の前記端部の一方から延びると共にガイド部を有する第２主部と、前記第２半田付け部の前記端部の他方から延びる第２副部とを有しており、
前記ガイド部材は、前記コンタクトと分離された状態で設けられており、
前記ガイド部は、前記接続方向と直交する方向において前記相手側対象物を位置決めし且つ前記接続方向に沿ってガイドするものであり、
前記コンタクトと前記ガイド部材とは、一枚の金属板を打ち抜きプレスして得られるものであり、
前記第１副部と前記第２副部とは、前記ピッチ方向と直交する面内において同一の断面形状を有している
コネクタを提供する。
【０００７】
また、本発明は、第２のコネクタとして、第１のコネクタであって、
前記第１副部は、前記主面から離れるように前記第１半田付け部から延びており、
前記第２副部は、前記主面から離れるように前記第２半田付け部から延びている
コネクタを提供する。
【０００８】
また、本発明は、第３のコネクタとして、第１又は第２のコネクタであって、
前記接続方向は、前記所定方向と同一である
コネクタを提供する。
【０００９】
また、本発明は、第４のコネクタとして、第３のコネクタであって、
前記第２主部は、前記第２半田付け部から延びるガイド支持部を更に有しており、
前記ガイド部は、前記コネクタが前記主面に固定された際に前記主面と平行となる所定平面内において前記ガイド支持部から張り出しており、
前記コネクタが前記主面に固定された状態において前記ガイド部と前記主面との間には間隙が形成されており、
前記コネクタが前記相手側対象物と接続する際に、前記被ガイド部は、前記間隙に受容される
コネクタを提供する。
【００１０】
また、本発明は、第５のコネクタとして、第４のコネクタであって、
前記ガイド支持部は、前記所定方向において前記第２半田付け部から離れて位置する付加的半田付け部を更に有している
コネクタを提供する。
【００１１】
また、本発明は、第６のコネクタとして、第１乃至第５のいずれかのコネクタであって、
前記ガイド部材は、少なくとも２つあり、
前記ガイド部材の夫々は、前記コネクタが前記主面に固定された状態において、前記主面と直交する直交方向におけるサイズが前記コンタクトのサイズ以上である
コネクタを提供する。
【００１２】
また、本発明は、第７のコネクタとして、第１乃至第６のいずれかのコネクタであって、
前記コネクタは、前記主面に固定される前の状態において前記第１副部及び前記第２副部を互いに連結している仮連結部を更に備えており、
前記コンタクト及び前記ガイド部材が前記主面に半田付けされた後に前記仮連結部が前記コネクタから少なくとも部分的に切り離され、前記コンタクトが互いに分離されると共に前記ガイド部材が前記コンタクトから分離される
コネクタを提供する。
【００１３】
また、本発明は、第８のコネクタとして、第７のコネクタであって、
前記コネクタは、前記主面に固定される前の状態において、前記第１副部から夫々延びる複数の第１延長部と、前記第２副部から延びる第２延長部とを更に備えており、
前記第１延長部及び前記第２延長部は、前記コンタクトと同一の前記金属板から得られるものであり、
前記仮連結部は、前記複数の第１延長部を互いに連結すると共に前記第２延長部を前記第１延長部と連結しており、
前記第１半田付け部及び前記第２半田付け部が前記主面に半田付けされた後に、前記第１延長部及び前記第２延長部を前記仮連結部と共に前記第１副部及び前記第２副部から切り離して、前記コンタクトを互いに分離させると共に前記ガイド部材を前記コンタクトから分離させる
コネクタを提供する。
【００１４】
また、本発明は、第９のコネクタとして、第１乃至第８のいずれかのコネクタであって、
前記相手側対象物は、相手側接続対象物と、前記相手側接続対象物に固定される相手側コネクタとを備えており、
前記被ガイド部は、前記相手側コネクタに設けられている
コネクタを提供する。
【００１５】
また、本発明は、第１のコネクタ組立体として、
第９のコネクタと前記相手側コネクタとを備えるコネクタ組立体を提供する。
【００１６】
また、本発明は、第２のコネクタ組立体として、第１のコネクタ組立体であって、
前記ガイド部は、前記ピッチ方向において端面を有しており、
前記相手側コネクタには、前記ガイド部の前記端面に対応した付加的被ガイド部が設けられている
コネクタ組立体を提供する。
【００１７】
また、本発明は、第３のコネクタ組立体として、第１又は第２のコネクタ組立体であって、
前記相手側コネクタには、前記接続方向と直交する方向において、前記被ガイド部から離れて位置する補助被ガイド部が更に設けられており、
前記コネクタと前記相手側コネクタとが接続する際に、前記ガイド部は、前記被ガイド部と前記補助被ガイド部との間に挿入される
コネクタ組立体を提供する。
【発明の効果】
【００１８】
相手側対象物への接続をガイドするガイド部材を更に設けたことから、接続操作性の向上を図ることができる。また、ガイド部材は、コンタクトと共通の金属板を打ち抜きプレスして得られるものであり、第１副部と第２副部とがピッチ方向と直交する面内において同一の断面形状を有していることから、コンタクト形成のプレス工程を利用してガイド部材を形成することができる。従って、ガイド部材を追加しても、極端なコスト増加を招くことはない。
【図面の簡単な説明】
【００１９】
【図１】本発明の第１の実施の形態によるコネクタを示す斜視図である。コネクタは、接続対象物に固定されている。
【図２】図１のコネクタと相手側コネクタとを備えるコネクタ組立体を示す斜視図である。
【図３】接続対象物に固定されたコネクタと相手側対象物との接続方法を説明するための斜視図である。コネクタは接続対象物に隠れて見えていない。相手側対象物は、相手側接続対象物と、そこに固定された相手側コネクタからなる。
【図４】図２のコネクタ組立体の一部を示す拡大斜視図である。コネクタと相手側コネクタとは接続されていない。
【図５】図２のコネクタ組立体の一部を示す拡大斜視図である。コネクタと相手側コネクタとは接続されている。
【図６】図２のコネクタ組立体の一部を示す拡大正面図である。
【図７】図１のコネクタの一部を示す拡大斜視図である。
【図８】図１のコネクタを示す斜視図である。コネクタは、第１延長部及び第２延長部を介してキャリアに接続されている。
【図９】図８のコネクタを示す斜視図である。第１延長部及び第２延長部はキャリアにより連結されていると共に仮連結部により連結されている。
【図１０】図９のコネクタを示す斜視図である。キャリアは切り離されており、第１延長部及び第２延長部は仮連結部により連結されている。
【図１１】図１０のコネクタを複数示す斜視図である。仮連結部により連結されたコネクタは、夫々、接続対象物に固定されている。
【図１２】図２の相手側コネクタの一部を示す拡大斜視図である。
【図１３】図１２の相手側コネクタに含まれる相手側コンタクトを示す斜視図である。
【図１４】図６のコネクタ組立体をＡ--Ａ線に沿って示す断面図である。コネクタと相手側コネクタとは接続されていない。
【図１５】図６のコネクタ組立体をＢ--Ｂ線に沿って示す断面図である。コネクタと相手側コネクタとは接続されていない。
【図１６】図６のコネクタ組立体をＡ--Ａ線に沿って示す断面図である。コネクタと相手側コネクタとは接続されている。
【図１７】図６のコネクタ組立体をＢ--Ｂ線に沿って示す断面図である。コネクタと相手側コネクタとは接続されている。
【図１８】変形例によるコネクタの一部を示す拡大斜視図である。
【図１９】図１８のコネクタの一部を示す他の拡大斜視図である。
【図２０】本発明の第２の実施の形態によるコネクタと相手側対象物とを示す斜視図である。コネクタと相手側対象物とは接続されていない。
【図２１】図２０のコネクタのコンタクト及びガイド部材を拡大して示す斜視図である。
【図２２】図２０の相手側対象物を示す斜視図である。
【図２３】図２０のコネクタと相手側対象物とを示す斜視図である。コネクタと相手側対象物とは接続されている。
【図２４】図２０のコネクタを示す斜視図である。第１延長部及び第２延長部はキャリアにより連結されていると共に仮連結部により連結されている。
【図２５】図２４のコネクタを示す斜視図である。キャリアは切り離されており、第１延長部及び第２延長部は仮連結部により連結されている。
【図２６】特許文献１のコネクタを示す斜視図である。
【発明を実施するための形態】
【００２０】
図１を参照すると、本発明の実施の形態によるコネクタ２００は、接続対象物１００の主面１１０に固定されるものである。本実施の形態の接続対象物１００は、半導体パッケージである。なお、本実施の形態において、接続対象物１００に固定されたコネクタ２００の数は、４である。但し、コネクタ２００の個数については特に限定はない。
【００２１】
図１及び図３から理解されるように、コネクタ２００は、相手側対象物４００とＸ方向において接続することができる。即ち、本実施の形態において、コネクタ２００と相手側対象物４００との接続方向は、Ｘ方向である。
【００２２】
図３に最もよく示されるように、本実施の形態の相手側対象物４００は、相手側接続対象物４２０と、相手側接続対象物４２０の主面４３０に固定される相手側コネクタ５００とを備えている。なお、本実施の形態において相手側接続対象物４２０に固定された相手側コネクタ５００の数は、４である。但し、相手側コネクタ５００の個数については特に限定はない。
【００２３】
本実施の形態のコネクタ組立体１０は、１つのコネクタ２００と、１つの相手側コネクタ５００とからなる（図２参照）。即ち、本実施の形態においては、４つのコネクタ組立体１０（図２参照）を用いて、接続対象物１００（図１参照）と相手側接続対象物４２０（図３参照）とを接続している。
【００２４】
本実施の形態による相手側接続対象物４２０は、回路基板である。接続対象物１００が半導体パッケージであることから理解されるように、本実施の形態においては、接続対象物１００と相手側接続対象物４２０として、熱膨張係数の互いに異なるものが想定されている。
【００２５】
相手側接続対象物４２０の主面４３０上には、コネクタ２００（図１参照）と相手側コネクタ５００との接続の際に利用されるマーカー４４０が形成されている。コネクタ２００と相手側コネクタ５００との接続方法については、後で詳述する。
【００２６】
図４及び図１２に示されるように、１つの相手側コネクタ５００は、複数の相手側コンタクト５１０と、それらをまとめて保持する保持部材５２０とを備えている。本実施の形態の保持部材５２０は、相手側接続対象物４２０（図３参照）である回路基板の熱膨張係数に近い熱膨張係数を有する樹脂からなる。保持部材５２０により、相手側コンタクト５１０は、Ｙ方向（ピッチ方向）に並べられている。
【００２７】
図２及び図１２から理解されるように、保持部材５２０には、２組の被ガイド部５２２と補助被ガイド部５２６とが形成されている。被ガイド部５２２と補助被ガイド部５２６は、いずれも保持部材５２０のＹ方向の端部に位置している。図１２に示されるように、本実施の形態の被ガイド部５２２と補助被ガイド部５２６は、夫々、ＸＹ平面内に延びる細長い板状の形状を有している。被ガイド部５２２と補助被ガイド部５２６とは、Ｚ方向（直交方向）において、互いに離れて位置している。換言すると、被ガイド部５２２と補助被ガイド部５２６の間には、スペース５２７が形成されている。被ガイド部５２２と補助被ガイド部５２６とは、＋Ｘ側において連結されている。図１２及び図１５から理解されるように、相手側コンタクト５１０とスペース５２７との間には隔壁が設けられている。この隔壁のスペース５２７側の面は、後述するように付加的被ガイド部５２４として機能する。被ガイド部５２２の−Ｘ側の角には面取り部５２８が形成されている。
【００２８】
図１３、図１４及び図１６に示されるように、相手側コンタクト５１０は、相手側接点５１２と、バネ部５１４と、受部５１６と、被固定部５１８とを有している。バネ部５１４は、相手側接点５１２を弾性支持しており、それによって相手側接点５１２は主としてＺ方向に移動することができる。受部５１６は、Ｚ方向において相手側接点５１２と対向している。本実施の形態の受部５１６は、相手側コンタクト５１０の一部として形成されているが、本発明はこれに限定されるわけではなく、受部５１６は相手側コンタクト５１０と別体に形成することとしてもよい。例えば、受部５１６を保持部材５２０の一部で構成することとしてもよい。被固定部５１８は、相手側接続対象物４２０の主面４３０（図３参照）に半田付けされる。
【００２９】
図１２及び図１３から理解されるように、本実施の形態の相手側コンタクト５１０は、保持部材５２０に対して圧入されている。但し、本発明はこれに限定されるわけではなく、インサート成型のような他の手段により、相手側コンタクト５１０を保持部材５２０に保持させることとしてもよい。
【００３０】
図２に示されるように、１つのコネクタ２００は、複数のコンタクト２１０と、ガイド部材２５０とを備えている。
【００３１】
複数のコンタクト２１０は、Ｙ方向に並べられており、２つのガイド部材２５０は、Ｙ方向においてコンタクト２１０の外側に位置している。即ち、コンタクト２１０は、Ｙ方向において、２つのガイド部材２５０の間に位置している。図１及び図７に示されるように、複数のコンタクト２１０は、互いに分離された状態で接続対象物１００の主面１１０に半田付けされるものであり、各ガイド部材２５０は、コンタクト２１０から分離された状態で接続対象物１００の主面１１０に半田付けされるものである。即ち、コンタクト２１０及びガイド部材２５０の夫々は、他のコンタクト２１０やガイド部材２５０とは一体化されずバラバラの状態で接続対象物１００の主面１１０に半田付けされている。このことから理解されるように、コンタクト２１０及びガイド部材２５０の移動を規制するのは、接続対象物１００の主面１１０に対して半田付けされた部位のみである。従って、本実施の形態において、コンタクト２１０同士の間隔やコンタクト２１０とガイド部材２５０との間隔は、接続対象物１００の熱膨張や熱収縮に応じて変化することができる。なお、接続対象物１００の主面１１０に対するコンタクト２１０及びガイド部材２５０の半田付けに関しては、後述する。
【００３２】
図４、図７及び図１４に示されるように、各コンタクト２１０は、第１半田付け部２２０と、第１主部２３０と、第１副部２４０とを有している。第１半田付け部２２０は、接続対象物１００の主面１１０上に設けられたパッド１１２に半田付けされる部位である。第１半田付け部２２０は、コネクタ２００が接続対象物１００の主面１１０に固定された際に主面１１０と平行となるＸ方向（所定方向）において、２つの端部２２２，２２４を有している。この記載から理解されるように、本実施の形態における所定方向は、接続方向と同一方向である。第１主部２３０は、第１半田付け部２２０の一方の端部２２２から延びている。図１６に示されるように、第１主部２３０は、相手側コネクタ５００の相手側接点５１２と接触する接点２３２を有している。即ち、接点２３２は、相手側対象物４００（図３参照）の一部と接触するものである。図４及び図７から理解されるように、接点２３２は、細長い板状の形状を有している。接点２３２は、Ｘ方向とＹ方向とで規定されるＸＹ平面内に延びている。即ち、接点２３２は、接続対象物１００の主面１１０と平行に延びている。第１副部２４０は、第１半田付け部２２０の他方の端部２２４から延びている。詳しくは、第１副部２４０は、主面１１０から離れるように第１半田付け部２２０から延びている。Ｘ方向において、第１副部２４０のサイズは、第１主部２３０のサイズの１／２より小さい。即ち、第１副部２４０は、第１主部２３０よりも短い。
【００３３】
本実施の形態において、ガイド部材２５０の夫々は、コネクタ２００が主面１１０に固定された状態において、主面１１０と直交するＺ方向（直交方向）において、コンタクト２１０のサイズと同じサイズを有している。即ち、本実施の形態において、ガイド部材２５０の高さは、コンタクト２１０の高さと同じである。
【００３４】
図４及び図７から理解されるように、各ガイド部材２５０は、第２半田付け部２６０と、第２主部２７０と、第２副部２９０とを有している。第２半田付け部２６０は、接続対象物１００の主面１１０上に設けられたパッド１１２に半田付けされる部位である。第２半田付け部２６０は、Ｘ方向において２つの端部２６２，２６４を有している。第２主部２７０は、第２半田付け部２６０の一方の端部２６２から延びている。第２副部２９０は、第２半田付け部２６０の他方の端部２６４から延びている。詳しくは、第２副部２９０は、主面１１０から離れるように第２半田付け部２６０から延びている。図４及び図７から理解されるように、Ｘ方向において、第２副部２９０のサイズは、第２主部２７０のサイズの１／２より小さい。即ち、第２副部２９０は、第２主部２７０よりも短い。
【００３５】
第２主部２７０は、ガイド支持部２７２と、ガイド部２８０とを有している。ガイド支持部２７２は、第２半田付け部２６０の端部２６２から延びている。ガイド支持部２７２は、付加的半田付け部２７４と、付加的ガイド部２７６とを有している。付加的半田付け部２７４は、Ｘ方向において第２半田付け部２６０から離れて位置している。付加的半田付け部２７４は、ガイド支持部２７２の先端に設けられており、接続対象物１００の主面１１０上に設けられたパッド１１２に半田付けされる部位である。付加的ガイド部２７６は、付加的半田付け部２７４近傍に位置し且つＹ方向の内側に面する縁にて構成されている。図４及び図５から理解されるように、ガイド部２８０は、Ｘ方向と直交する方向（Ｙ方向やＺ方向）において相手側コネクタ５００を位置決めし且つＸ方向に沿ってガイドするものである。図４及び図７に示されるように、ガイド部２８０は、コネクタ２００が接続対象物１００の主面１１０に固定された際に主面１１０と平行となるＸＹ平面（所定平面）内においてガイド支持部２７２から張り出している。図７及び図１５から理解されるように、コネクタ２００が主面１１０に固定された状態においてガイド部２８０と主面１１０との間には間隙２８４が形成されている。図４及び図７に示されるように、本実施の形態のガイド部２８０は、ＸＹ平面と平行に延びている。ガイド部２８０は、Ｙ方向において端面２８２を有している。端面２８２は、相手側コネクタ５００の付加的被ガイド部５２４（図１２参照）と対応している。
【００３６】
図４及び図７から理解されるように、本実施の形態のコンタクト２１０とガイド部材２５０とは、一枚の金属板を打ち抜きプレスして得られるものであり、第１副部２４０と第２副部２９０とは、ピッチ方向と直交する面内において同一の断面形状を有している。
【００３７】
図１並びに図８乃至図１１から理解されるように、本実施の形態においては、コンタクト２１０及びガイド部材２５０を接続対象物１００の主面１１０上にまとめて半田付けするために、絶縁体からなる仮連結部６００を用いている。
【００３８】
詳しくは、図８に示されるように、コンタクト２１０及びガイド部材２５０からなるコネクタ２００は、一枚の金属板をプレスした状態において、複数の第１延長部２４２及び２つの第２延長部２９２を更に備えている。このことから理解されるように、コンタクト２１０、ガイド部材２５０、第１延長部２４２及び第２延長部２９２は、同一部材からなる。第１延長部２４２及び第２延長部２９２は、コネクタ２００が接続対象物１００の主面１１０（図１参照）に固定される前の状態において、コンタクト２１０の第１副部２４０及びガイド部材２５０の第２副部２９０から夫々延びている。第１延長部２４２及び第２延長部２９２は、キャリア３００に繋がっている。第１延長部２４２とコンタクト２１０の第１副部２４０との境界部分には夫々ノッチ２４４が形成されている。更に、第１延長部２４２とキャリア３００との境界部分には夫々ノッチ３１０が形成されている。同様に、第２延長部２９２とガイド部材２５０の第２副部２９０との境界部分には夫々ノッチ２９４が形成されている。更に、第２延長部２９２とキャリア３００との境界部分には夫々ノッチ３２０が形成されている。
【００３９】
図９に示されるように、仮連結部６００をインサート成型法により形成する。これにより、第１延長部２４２及び第２延長部２９２は仮連結部６００内に埋め込まれて連結される。このようにして、仮連結部６００は、第１延長部２４２を介して、第１副部２４０を相互に連結している。次いで、ノッチ３１０及びノッチ３２０（図８参照）を利用して、キャリア３００を切り離すと、図１０に示される状態となる。
【００４０】
図１０に示されるように、仮連結部６００は、コネクタ２００が接続対象物１００の主面１１０（図１参照）に固定される前の状態においてコンタクト２１０及びガイド部材２５０を連結している。この仮連結部６００のため、バラバラのコンタクト２１０及びガイド部材２５０からなるコネクタ２００の取り扱いが容易となる。また、仮連結部６００は、比較的大きな平面６０２を有している。従って、平面６０２を吸着してコネクタ２００を搬送することが可能となる。
【００４１】
図１１に示されるように、仮連結部６００により連結されたコネクタ２００を接続対象物１００の主面１１０の所定位置に搭載する。その状態において、図１０及び図１１から理解されるように、コンタクト２１０及びガイド部材２５０を主面１１０上に半田付けした後、ノッチ２４４，２９４を利用して第１延長部２４２及び第２延長部２９２を仮連結部６００と共にコンタクト２１０及びガイド部材２５０から切り離す。これにより、図１に示されるように、コンタクト２１０及びガイド部材２５０を互いに分離させる。このようにして、バラバラのコンタクト２１０及びガイド部材２５０からなるコネクタ２００を接続対象物１００の主面１１０上にまとめて固定することができる。
【００４２】
上述したコネクタ２００（図１参照）と相手側コネクタ５００（図３参照）との接続は、図３に示される矢印１及び矢印２に従って行われる。まず、図１及び図３から理解されるように、Ｚ方向において接続対象物１００の主面１１０と相手側接続対象物４２０主面４３０とを対向させ（即ち、接続対象物１００の裏面１２０を＋Ｚ側に向けると共に相手側接続対象物４２０主面４３０を＋Ｚ側に向け）、矢印１のように両者をＺ方向において近づける。この際、接続対象物１００の＋Ｘ側の２つの角と相手側接続対象物４２０の主面４３０上に形成された２つのマーカー４４０とで粗い位置決めを行う（図３参照）。次いで、矢印２のように、接続対象物１００を＋Ｘ方向に移動させて、図１４乃至図１７に示されるように、コネクタ２００と相手側コネクタ５００の接続を行う。この際、コネクタ２００の＋Ｘ方向への移動、即ち、接続対象物１００の＋Ｘ方向への移動はガイド部２８０と被ガイド部５２２等（図１２参照）とにより適切になされる。
【００４３】
詳しくは、コネクタ２００と相手側コネクタ５００とが接続する際、面取り部５２８（図１２参照）が付加的ガイド部２７６（図７参照）に接触し、被ガイド部５２２をＹ方向において適切な位置にガイドする。次いで、ガイド部２８０の端面２８２と付加的被ガイド部５２４とでコネクタ２００と相手側コネクタ５００のＹ方向における相対位置を調整しつつ、ガイド部２８０の−Ｚ側に形成された間隙２８４に被ガイド部５２２を受容させる。これによって、コネクタ２００に対する相手側対象物４００の相手側コネクタ５００の接続がガイドされる。この際、ガイド部２８０は被ガイド部５２２と補助被ガイド部５２６との間のスペース５２７に挿入されている。
【００４４】
その結果、図１６に示されるように、コネクタ２００と相手側コネクタ５００とが接続された状態において、接点２３２は、相手側接点５１２と受部５１６とにより挟まれ、コンタクト２１０が相手側コンタクト５１０と接続される。特に、図３、図１４及び図１５から理解されるように、本実施の形態においてはガイド部２８０と被ガイド部５２２の働きにより、コンタクト２１０と相手側コンタクト５１０との接続部分を直接確認することなく、コンタクト２１０と相手側コンタクト５１０を適切に接続することができる。
【００４５】
加えて、上述したように、第１副部２４０と第２副部２９０とがＹ方向と直交するＸＺ平面内において同一の断面形状を有していることから、コンタクト２１０形成のプレス工程を利用してガイド部材２５０を形成することができる。このように、本実施の形態においては、極端なコスト増加を招くことなく、ガイド部材２５０を追加することができ、接続操作性の向上を図ることができる。
【００４６】
また、上述したように、第１副部２４０及び第２副部２９０が接続対象物１００の主面１１０から離れるように第１半田付け部２２０及び第２半田付け部２６０から夫々延びていることから、半田が第１副部２４０及び第２副部２９０と接続対象物１００の主面１１０との間に移動してきてしまうといった問題が生じない。更に付随して、第１副部２４０と第１延長部２４２との境界部分や第２副部２９０と第２延長部２９２との境界部分も主面１１０から離れて位置することとなるので、接続対象物１００を傷つけることを避けつつ、仮連結部６００を容易に切り離すことができる。
【００４７】
更に、第１延長部２４２や第２延長部２９２を第１主部２３０や第２主部２７０側ではなく第１副部２４０や第２副部２９０側に形成したことから、仮連結部６００の切離しの際に第１主部２３０や第２主部２７０が変形して接点２３２やガイド部２８０の位置が所望とする位置からずれてしまうことを避けることができる。従って、仮連結部６００の切離しによってコネクタ２００と相手側コネクタ５００との接続に不具合がでることを避けることができる。
【００４８】
特に、本実施の形態による第１副部２４０及び第２副部２９０は、第１主部２３０及び第２主部２７０よりも短いことから、仮連結部６００の切離しの際に第１副部２４０や第２副部２９０が変形してしまうことも抑制されている。
【００４９】
更に、上述したように、本実施の形態のガイド部材２５０は、夫々、Ｚ方向においてコンタクト２１０のサイズと同じサイズを有している。従って、図１に示されるようにコネクタ２００が接続対象物１００に固定された状態において、接続対象物１００を引っくり返して例えば作業台に搭載したとしても、コンタクト２１０のみが作業台に直接接触して損傷してしまうことを避けることができる。同様の理由から、Ｚ方向において、ガイド部材２５０がコンタクト２１０のサイズより大きなサイズを有していてもよい。即ち、ガイド部材２５０がＺ方向においてコンタクト２１０のサイズ以上のサイズを有していれば、コンタクトのみが作業台に直接接触して損傷してしまうことを避けることができる。
【００５０】
なお、上述した実施の形態においては、仮連結部６００（図１０参照）の全体がコネクタ２００から切り離されていたが、本発明はこれに限定されるわけではなく、コンタクト２１０同士を分離すると共にガイド部材２５０をコンタクト２１０から分離できるのであれば、仮連結部６００を部分的に残してもよい。
【００５１】
具体的には、図１８及び図１９に示されるように、変形例による仮連結部６００Ａは、複数の小部６１０Ａと、小部６１０Ａを連結する大部６２０Ａとを有している。小部６１０Ａには、コンタクト２１０Ａの第１副部２４０Ａとガイド部材２５０Ａの第２副部２９０Ａが夫々保持されている。小部６１０Ａと大部６２０Ａとの境界部分には夫々ノッチ６３０Ａが形成されている。
【００５２】
このような構造の場合、コンタクト２１０Ａ及びガイド部材２５０Ａが接続対象物１００の主面１１０（図１参照）に半田付けされた後にノッチ６３０Ａを利用して大部６２０Ａを小部６１０Ａから切り離し、小部６１０Ａに夫々保持されたコンタクト２１０Ａ同士を互いに分離させると共にガイド部材２５０Ａをコンタクト２１０Ａから分離させることができる。
【００５３】
上述した実施の形態においては、接続方向と所定方向とが同じ方向（Ｘ方向）であったが、両者は異なっていてもよい。例えば、接続方向と所定方向とが直交していてもよい。
【００５４】
また、上述した実施の形態において、被ガイド部５２２は、相手側コネクタ５００に設けられていたが、相手側対象物４００の一部として設けられているのであれば、相手側コネクタ５００以外に設けられていてもよい。例えば、被ガイド部は、相手側接続対象物４２０に設けられていてもよいし、相手側対象物４００に属する他の部材を用意し、その部材に設けることとしてもよい。
【００５５】
以下、接続方向と所定方向とが異なる場合であって被ガイド部が相手側コネクタ以外に形成された例について、本発明の第２の実施の形態として図面を用いて説明する。
【００５６】
図２０及び図２１を参照すると、本実施の形態によるコネクタ２００Ｂは、接続対象物１００Ｂの主面１１０Ｂに固定されるものである。本実施の形態の接続対象物１００Ｂは、半導体パッケージである。なお、本実施の形態においては、１つのコネクタ２００Ｂのみが接続対象物１００に固定された例について説明するが、本発明はこれに限定されるわけではない。
【００５７】
図２０及び図２３から理解されるように、コネクタ２００Ｂは、相手側対象物４００ＢとＺ方向において接続することができる。即ち、本実施の形態において、コネクタ２００Ｂと相手側対象物４００Ｂとの接続方向は、Ｚ方向である。
【００５８】
図２０、図２２及び図２３から理解されるように、本実施の形態の相手側対象物４００Ｂは、回路基板のみからなるものであり、相手側コネクタを備えていない。図２２に示されるように、相手側対象物４００Ｂの主面４１０Ｂ上には、複数の相手側接点４５０Ｂが形成されている。相手側接点４５０Ｂは、Ｙ方向（ピッチ方向）に一列に並べられている。加えて、相手側対象物４００Ｂには、２つの被ガイド部５２２Ｂが設けられている。被ガイド部５２２Ｂは、相手側対象物４００Ｂの縁に形成されており、Ｙ方向の内側に向かって凹んでいる。
【００５９】
図２０及び図２１に示されるように、本実施の形態のコネクタ２００Ｂは、複数のコンタクト２１０Ｂと、２つのガイド部材２５０Ｂとを備えている。
【００６０】
図２０に示されるように、複数のコンタクト２１０Ｂは、Ｙ方向に並べられており、２つのガイド部材２５０Ｂは、Ｙ方向においてコンタクト２１０Ｂの外側に位置している。即ち、コンタクト２１０Ｂは、Ｙ方向において、２つのガイド部材２５０Ｂの間に位置している。図２０及び図２１に示されるように、複数のコンタクト２１０Ｂは、互いに分離された状態で接続対象物１００Ｂの主面１１０Ｂに半田付けされるものであり、各ガイド部材２５０Ｂは、コンタクト２１０Ｂから分離された状態で接続対象物１００Ｂの主面１１０Ｂに半田付けされるものである。即ち、コンタクト２１０Ｂ及びガイド部材２５０Ｂの夫々は、他のコンタクト２１０Ｂやガイド部材２５０Ｂとは一体化されずバラバラの状態で接続対象物１００Ｂの主面１１０Ｂに半田付けされている。
【００６１】
図２１に示されるように、各コンタクト２１０Ｂは、第１半田付け部２２０Ｂと、第１主部２３０Ｂと、第１副部２４０Ｂとを有している。第１半田付け部２２０Ｂは、主面１１０Ｂ上に設けられたパッド１１２Ｂに半田付けされる部位である。第１半田付け部２２０Ｂは、コネクタ２００Ｂが接続対象物１００Ｂの主面１１０Ｂに固定された際に主面１１０Ｂと平行となるＸ方向（所定方向）において、２つの端部２２２Ｂ，２２４Ｂを有している。この記載から理解されるように、本実施の形態における所定方向（Ｘ方向）は、接続方向（Ｚ方向）と直交している。第１主部２３０Ｂは、第１半田付け部２２０Ｂの一方の端部２２２Ｂから延びている。第１主部２３０Ｂは、相手側対象物４００Ｂと接触する接点２３２Ｂと、接点２３２Ｂを弾性支持するバネ部２３４Ｂとを有している。接点２３２Ｂは、バネ部２３４Ｂの弾性を利用して、主としてＺ方向に移動することができる。第１副部２４０Ｂは、第１半田付け部２２０Ｂの他方の端部２２４Ｂから延びている。詳しくは、第１副部２４０Ｂは、主面１１０Ｂから離れるように第１半田付け部２２０Ｂから延びている。
【００６２】
図２０及び図２１から理解されるように、各ガイド部材２５０Ｂは、第２半田付け部２６０Ｂと、第２主部２７０Ｂと、第２副部２９０Ｂとを有している。第２半田付け部２６０Ｂは、主面１１０Ｂ上に設けられたパッド１１２Ｂに半田付けされる部位である。第２半田付け部２６０Ｂは、Ｘ方向において２つの端部２６２Ｂ，２６４Ｂを有している。第２主部２７０Ｂは、第２半田付け部２６０Ｂの一方の端部２６２ＢからＺ方向に沿って（具体的には−Ｚ側に）延びている。本実施の形態の第２主部２７０Ｂは、それ自体がガイド部として機能する。第２副部２９０Ｂは、第２半田付け部２６０Ｂの他方の端部２６４Ｂから延びている。詳しくは、第２副部２９０Ｂは、主面１１０Ｂから離れるように第２半田付け部２６０Ｂから延びている。
【００６３】
図２１から理解されるように、本実施の形態のコンタクト２１０Ｂとガイド部材２５０Ｂとは、一枚の金属板を打ち抜きプレスして得られるものであり、第１副部２４０Ｂと第２副部２９０Ｂとは、ピッチ方向と直交する面内において同一の断面形状を有している。
【００６４】
図２０、図２４及び図２５から理解されるように、本実施の形態においては、コンタクト２１０Ｂ及びガイド部材２５０Ｂを接続対象物１００Ｂの主面１１０Ｂ上にまとめて半田付けするために、絶縁体からなる仮連結部６００Ｂを用いている。
【００６５】
詳しくは、図２４から理解されるように、コンタクト２１０Ｂ及びガイド部材２５０Ｂからなるコネクタ２００Ｂは、一枚の金属板をプレスした状態において、複数の第１延長部２４２Ｂ及び２つの第２延長部２９２Ｂを更に備えている。これらの第１延長部２４２Ｂ及び第２延長部２９２Ｂは、コンタクト２１０Ｂの第１副部２４０Ｂ及びガイド部材２５０Ｂの第２副部２９０Ｂから夫々延びており、キャリア３００Ｂに繋がっている。図２５に示されるように、第１延長部２４２Ｂとコンタクト２１０Ｂの第１副部２４０Ｂとの境界部分には夫々ノッチ２４４Ｂが形成されている。更に、図２４に示されるように、第１延長部２４２Ｂとキャリア３００Ｂとの境界部分には夫々ノッチ３１０Ｂが形成されている。同様に、図２５に示されるように、第２延長部２９２Ｂとガイド部材２５０Ｂの第２副部２９０Ｂとの境界部分には夫々ノッチ２９４Ｂが形成されている。更に、図２４に示されるように、第２延長部２９２Ｂとキャリア３００Ｂとの境界部分には夫々ノッチ３２０Ｂが形成されている。
【００６６】
更に、本実施の形態においても、図２４に示されるように、仮連結部６００Ｂがインサート成型法により形成されている。これにより、第１延長部２４２Ｂ及び第２延長部２９２Ｂは仮連結部６００Ｂ内に埋め込まれて連結される。このようにして、仮連結部６００Ｂは、第１延長部２４２Ｂを介して、第１副部２４０Ｂを相互に連結している。
【００６７】
次いで、ノッチ３１０Ｂ及びノッチ３２０Ｂを利用して、キャリア３００Ｂを切り離した上で、図２５に示されるように、コネクタ２００Ｂを接続対象物１００Ｂの主面１１０Ｂに搭載し、半田付けする。図２５から理解されるように、仮連結部６００Ｂがコンタクト２１０Ｂ及びガイド部材２５０Ｂを連結していることから、バラバラのコンタクト２１０Ｂ及びガイド部材２５０Ｂからなるコネクタ２００Ｂの取り扱いが容易となる。本実施の形態においても、仮連結部６００Ｂは、比較的大きな平面６０２Ｂを有しているので、平面６０２Ｂを吸着してコネクタ２００Ｂを搬送することが可能となる。
【００６８】
図２０及び図２５から理解されるように、コンタクト２１０Ｂ及びガイド部材２５０Ｂが主面１１０Ｂに半田付けされた後に、ノッチ２４４Ｂ，２９４Ｂを利用して第１延長部２４２Ｂ及び第２延長部２９２Ｂを仮連結部６００Ｂと共にコンタクト２１０Ｂ及びガイド部材２５０Ｂから切り離して、図２０に示されるように、コンタクト２１０Ｂ及びガイド部材２５０Ｂを互いに分離させる。このように、本実施の形態によれば、バラバラのコンタクト２１０Ｂ及びガイド部材２５０Ｂからなるコネクタ２００Ｂを接続対象物１００Ｂの主面１１０Ｂ上にまとめて固定することができる。
【００６９】
図２０及び図２３から理解されるように、コネクタ２００Ｂと相手側対象物４００Ｂとの接続は、Ｚ方向に沿って行われる。具体的には、相手側対象物４００Ｂの主面４１０Ｂと接続対象物１００の主面１１０Ｂとを対向させた状態で（即ち、接続対象物１００Ｂの主面１１０Ｂを−Ｚ側に向けると共に相手側対象物４００Ｂの裏面４１５Ｂを−Ｚ側に向け）、Ｚ方向に沿って両者を近づける。この際、ガイド部２７０Ｂにより被ガイド部５２２Ｂのガイドがなされることから、ＸＹ平面内における相手側対象物４００Ｂのコネクタ２００Ｂに対する位置決めが適切になされる。そのため、コンタクト２１０Ｂと相手側接点４５０Ｂとの接続部分を直接確認することなく、コンタクト２１０Ｂと相手側接点４５０Ｂ（図２２参照）を適切に接続することができる。
【００７０】
以上、本発明について実施の形態を掲げて具体的に説明してきたが本発明は、これに限定されるものではない。
【００７１】
上述した実施の形態において、ガイド部材２５０，２５０Ａ，２５０Ｂの数は２であったが、本発明はこれに限定されるものではない。ガイド部材２５０，２５０Ａ，２５０Ｂは１つだけ設けられていてもよいし、３つ以上設けられていてもよい。但し、ガイド部材２５０，２５０Ａ，２５０Ｂによりコンタクト２１０，２１０Ａ，２１０Ｂの保護を図る場合、ガイド部材２５０，２５０Ａ，２５０Ｂの数は２以上である必要がある。
【符号の説明】
【００７２】
１０        コネクタ組立体
１００，１００Ｂ        接続対象物
１１０，１１０Ｂ        主面
１１２，１１２Ｂ        パッド
１２０        裏面
２００，２００Ｂ        コネクタ
２１０，２１０Ａ，２１０Ｂ        コンタクト
２２０，２２０Ａ，２２０Ｂ        第１半田付け部
２２２，２２４，２２２Ｂ，２２４Ｂ        端部
２３０，２３０Ｂ        第１主部
２３２，２３２Ｂ        接点
２３４Ｂ        バネ部
２４０，２４０Ａ、２４０Ｂ        第１副部
２４２，２４２Ｂ        第１延長部
２４４，２４４Ｂ        ノッチ
２５０，２５０Ａ，２５０Ｂ        ガイド部材
２６０，２６０Ａ，２６０Ｂ        第２半田付け部
２６２，２６４，２６２Ｂ，２６４Ｂ        端部
２７０        第２主部
２７０Ｂ      第２主部（ガイド部）
２７２        ガイド支持部
２７４        付加的半田付け部
２７６        付加的ガイド部
２８０        ガイド部
２８２        端面
２８４        間隙
２９０，２９０Ａ、２９０Ｂ        第２副部
２９２，２９２Ｂ        第２延長部
２９４，２９４Ｂ        ノッチ
３００，３００Ｂ        キャリア
３１０，３２０，３１０Ｂ，３２０Ｂ        ノッチ
４００，４００Ｂ        相手側対象物
４１０Ｂ        主面
４１５Ｂ        裏面
４２０        相手側接続対象物
４３０        主面
４４０        マーカー
４５０Ｂ        相手側接点
５００        相手側コネクタ
５１０        相手側コンタクト
５１２        相手側接点
５１４        バネ部
５１６        受部
５１８        被固定部
５２０        保持部材
５２２，５２２Ｂ        被ガイド部
５２４        付加的被ガイド部
５２６        補助被ガイド部
５２７        スペース
５２８        面取り部
６００，６００Ａ、６００Ｂ        仮連結部
６０２，６０２Ｂ        平面
６１０Ａ        小部
６２０Ａ        大部
６３０Ａ        ノッチ
【図１】
2015222678.tif 000003
【図２】
2015222678.tif 000004
【図３】
2015222678.tif 000005
【図４】
2015222678.tif 000006
【図５】
2015222678.tif 000007
【図６】
2015222678.tif 000008
【図７】
2015222678.tif 000009
【図８】
2015222678.tif 000010
【図９】
2015222678.tif 000011
【図１０】
2015222678.tif 000012
【図１１】
2015222678.tif 000013
【図１２】
2015222678.tif 000014
【図１３】
2015222678.tif 000015
【図１４】
2015222678.tif 000016
【図１５】
2015222678.tif 000017
【図１６】
2015222678.tif 000018
【図１７】
2015222678.tif 000019
【図１８】
2015222678.tif 000020
【図１９】
2015222678.tif 000021
【図２０】
2015222678.tif 000022
【図２１】
2015222678.tif 000023
【図２２】
2015222678.tif 000024
【図２３】
2015222678.tif 000025
【図２４】
2015222678.tif 000026
【図２５】
2015222678.tif 000027
【図２６】
2015222678.tif 000028